(57)【要約】【課題】缶やボトル入りの清涼飲料やビールなどの飲料用自動販売機を活用して、それらの飲料商品よりも細径容器に入ったドリンク剤などの液体商品を販売するための販売用容器を提供する。【解決手段】所定範囲の径を有する容器に飲料が密閉された複数種類の飲料商品を選択に応じて販売する自動販売機により、該飲料商品よりも細径の容器に液体が密閉された液体商品を販売する販売用容器であって、該飲料商品のうちの何れかの容器と同じ径を有する円筒部材と、該液体商品を該円筒部材の内部に固定する固定部材とを有する。【選択図】図６
2009102032.tif 000002
【特許請求の範囲】
【請求項１】
所定範囲の径を有する容器に飲料が密閉された複数種類の飲料商品を選択に応じて販売する自動販売機により、該飲料商品の何れよりも細径の容器に液体が密閉された液体商品を販売する販売用容器であって、該飲料商品のうちの何れかの容器と同じ径を有する円筒部材と、該液体商品を該円筒部材の内部に固定する固定部材とを有することを特徴とする販売用容器。
【請求項２】
前記円筒部材は、両端が開口したものであって、内周面に前記固定部材が固設されたものであることを特徴とする請求項１記載の販売用容器。
【請求項３】
前記円筒部材は、一端が有底で、他端が開口したものであって、内周面に前記固定部材が固設されたものであることを特徴とする請求項１記載の販売用容器。
【請求項４】
前記円筒部材は、一端が有底で、他端が開口した筒状の２つの中空部材の、開口した他端相互を分離自在に合体させたものであって、両端の底面それぞれに前記固定部材が固設されたものであることを特徴とする請求項１記載の販売用容器。
【請求項５】
前記固定部材は、前記液体商品を前記円筒部材と同軸に固定するものであることを特徴とする請求項１から４記載の販売用容器。
【請求項６】
前記固定部材は、中心に所定の孔を有する円形の部材であって、外周及び該孔の周縁それぞれに複数の縁辺が曲折自在に延設され、該外周に延設された縁辺により前記円筒部材の内周面に固設されると共に、該孔の周縁に延設された縁辺により該孔に挿入された前記液体商品を固定することを特徴とする請求項２から４記載の販売用容器。
【請求項７】
前記固定部材は、中心に所定の孔を有する円柱状の部材であって、外周面で前記円筒部材の内周面に固設されると共に、該孔の周面で該穴に挿入された前記細径商品を固定することを特徴とする請求項２から４記載の販売用容器。
【請求項８】
前記開口の周縁に係合して該開口を塞ぐ蓋部と、該蓋部に嵌合して所定の空間を形成する景品収納部と、を備えたことを特徴とする請求項２又は３載の販売用容器。
【請求項９】
前記２つの中空部材は、開口した他端相互が螺合自在もしくは嵌合自在なものであることを特徴とする請求項４記載の販売用容器。
【請求項１０】
前記固定部材は、一方の端面に、前記液体商品の頭部又は底部と嵌合する凹部を有する円柱状の部材であって、他方の端面が前記円筒部材の底面それぞれに固設されると共に、該円筒部材内部で対向する該凹部相互により該液体商品を圧着し、該液体商品を固定することを特徴とする請求項４記載の販売用容器。
【発明の詳細な説明】
【技術分野】
【０００１】
本発明は、所定の径の缶あるいはボトルなどに清涼飲料、ビール、茶などの飲料が密封された飲料商品を販売する自動販売機を活用して、それらの飲料商品よりも細径の容器に液体が密封された液体商品を販売するために用いる販売用容器に関する。
【背景技術】
【０００２】
今日、缶やボトル入りの清涼飲料、ビールなどの飲料商品を販売する自動販売機が店頭、公共施設、ビジネスホテルなどに多数設置されている（特許文献１、２など参照）。また昨今の健康ブームを反映し、健康飲料などのドリンク剤が多数出回り、それらのドリンク剤を常用する人も多い。このため、病院やビジネスホテルなどでそれらドリンク剤などを自動販売機で販売し、人件費をかけずに顧客のニーズに応えたいという要求がある。
しかし、多様な細径瓶に密封された多種にわたるドリンク剤が販売され、ドリンク剤個々の販売数量は限定的なため、専用の自動販売機を設置するのは、不経済である。そこで、すでに設置された飲料用自動販売機を利活用して特定のドリンク剤を販売しようと試み、収納部に多数のドリンク剤を入れると、ドリンク剤の容器が飲料商品のものより細径なため、収納部に複数列のドリンク剤が収納される。そのため、貨幣を投入して選択ボタンを押すと、一度に複数個のドリンク剤がデリバリシュートに落下して、排出口に出てしまうという問題がある。
一方、ビジネスホテルなどにおいては、ビールのおつまみを缶入りビールと一緒に自動販売機で販売すれば、人件費節減と顧客サービス向上を同時に満たすことができる。そこで、樹脂製筒状缶におつまみを密封し、さらに自動販売機の収納部から容易に排出口に排出されるよう、筒状缶に錘体を取り付ける方法が開示されている（特許文献３参照）。
また、飲料商品の販売を促進するため、飲料商品の容器と同じ形状の容器に景品を収容する一方、壊れやすい景品の動きを制限する保持部材を容器内に設け、さらに容器の蓋に凹部を設けて、飲料商品価格と同額の硬貨を収容できるようにしたものが開示されている（特許文献４参照）。
【特許文献１】特開２００２−１５０３７９号公報
【特許文献２】特開２００４−１３２９２号公報
【特許文献３】特開平７−１６５２２６号公報
【特許文献４】特開２００３−２３３０号公報
【発明の開示】
【発明が解決しようとする課題】
【０００３】
しかし、ドリンク剤などの液体商品は、既に瓶などの容器に密封されており、特許文献３に開示されたおつまみ販売用の容器のように、それ自体を密封する必要はない。また、ドリンク剤などの液体商品は、ある程度重量があるので、自重で飲料商品通路は通過可能であり、錘体を用いる必要はない。
一方、瓶などの容器に密封されたドリンク剤などは、カード型光ディスクなどのように嵩張らないうえ、ある程度の重量があ
ることから、特許文献４に開示された販売用容器のように、動きを制限する程度では不十分であり、破損防止の観点からも
販売用容器内にしっかりと固定する必要がある。
本件発明は、かかる事情に鑑み、缶やボトル入りの清涼飲料やビールなどの飲料用自動販売機を活用して、それらの飲料商品よりも細径容器に入ったドリンク剤などの液体商品を販売するための販売用容器を提供することを目的とする。
【課題を解決するための手段】
【０００４】
本発明の販売用容器は、所定範囲の径を有する容器に飲料が密閉された複数種類の飲料商品を選択に応じて販売する自動販売機により、該飲料商品よりも細径の容器に液体が密閉された液体商品を販売する販売用容器であって、該飲料商品のうちの何れかの容器と同じ径を有する円筒部材と、該液体商品を該円筒部材の内部に固定する固定部材とを有することを特徴とする。
ここで、上記円筒部材は、両端が開口したものであって、内周面に前記固定部材が固設されたもの、あるいは、一端が有底で、他端が開口したものであって、内周面に前記固定部材が固設されたもの、あるいは、一端が有底で、他端が開口した筒状の２つの中空部材の、開口した他端相互を分離自在に合体させたものであって、両端の底面それぞれに上記固定部材が固設されたものでも、何れでもよい。
また、上記固定部材は、上記液体商品を上記円筒部材と同軸に固定するものでもよく、中心に所定の孔を有する円形の部材であって、外周及び該孔の周縁それぞれから複数の縁辺が曲折自在に延設し、該外周に延設された縁辺により上記円筒部材の内周面に固設され、該孔の周縁に延設された縁辺により該孔に挿入された上記細径商品を固定するものでも、あるいは、中心に所定の孔を有する円柱状の部材であって、外周面で上記円筒部材の内周面に固設され、該孔の周面で該穴に挿入された上記細径商品を固定するものでも、あるいは、一方の端面に、上記液体商品の頭部又は底部と嵌合する凹部を有する円柱状の部材であって、他方の端面が上記円筒部材の底面それぞれに固設されると共に、該円筒部材の内部で対向する該凹部相互により該液体商品を圧着し、該液体商品を固定するものでもよい。
このように、細径容器に入った液体商品であっても、自動販売機で販売している飲料商品の容器と同じ径を有する円筒部材と、液体商品をその円筒部材の内部に固定する固定部材とを有する販売用容器を用いれば、既に設置されている飲料用の自動販売機で販売することができる。    
【発明の効果】
【０００５】
本発明の販売用容器によれば、ドリンク剤などの細径の液体商品を固定部材を用いて手作業で簡便に内部に固定することができるうえ、容器の直径が自動販売機で販売される清涼飲料、ビール、茶などの飲料商品容器と同等にしてあるので、その自動販売機を活用して、飲料商品と同様に、１個ずつ販売することができる。
【発明を実施するための最良の形態】
【０００６】
以下に、本発明の実施形態について説明する。
「第１の実施形態」
図１は、一例として示す自動販売機の側断面図である。また、図２から図４は、本発明の販売用容器の第１の実施形態を示す図であり、図２は、第１の実施形態の販売用容器の平面図、図３は、第１の実施形態の販売用容器を図２のＡ−Ａ’面で切断したときの正面図、図４は、第１の実施形態の販売用容器の底面図である。
図１に例示する自動販売機１００は、本体１０１と、本体前面の開閉自在な前扉１０２とを備えている。本体１０１には、複数種類の飲料商品Ｓを種類別に分類して収納する商品ラック１１０が、本体内部に横並びに設けられており、ここではそのうちの１つの商品ラック１１０が示されている。各商品ラック１１０は、前後方向に区画された複数の収納部１１１を備え、各収納部１１１は、飲料商品通路１１２が波形に形成されている（ここには図示されていない）。各収納部１１１の上部から装填された飲料商品Ｓは、波形に形成された飲料商品通路１１２により横向きに揺れながら壁面１１３で受け止められ、下部に順次導かれ、一列に積み重ねられて各収納部１１１に収納される。
この自動販売機１００で、図示しない硬貨投入口から貨幣が投入され、図示しないボタンにより飲料商品Ｓが選択されると、その飲料商品Ｓが収納された収納部１１１の下部に設けた爪１１５が作動して、飲料商品Ｓを一個ずつデリバリシュート１１６に落下させ、商品取り出し口１１７に選択された飲料商品Ｓを排出する。
一方、図示しない硬貨投入口から投入された貨幣は、図示しない硬貨処理装置により硬貨の識別、硬貨の収納、つり銭の払い出しが行われる。なお、識別された硬貨が偽貨または不良硬貨の場合、あるいは返却ボタンが押された場合は、爪１１５を作動させることなく、投入された硬貨をそのまま放出する。
ここで、飲料商品Ｓは、一般に、太缶の径が概ね６６ｍｍΦ、細缶の径が概ね５２ｍｍΦに設定されているので、収納部１１１の飲料商品通路１１２の幅は、６６ｍｍΦよりも大きく、１０４ｍｍΦよりも小さくして、デリバリシュート１１６に一度に複数個の飲料商品Ｓが落下しないように構成されている。そこで、例えば径が３０ｍｍΦのドリンク剤は、飲料商品通路１１２の同じ列に２乃至３個が収納されることとなり、爪１１５が作動したときに、２乃至３個のドリンク剤が一度にデリバリシュート１１６に落下する。
図２から図４に示す本実施形態の販売用容器１は、円筒部材１０と、円筒部材１０の内周面に固定した状態で設けられる固定部材２０とからなる。販売用容器１には、細径の瓶に液体が充填され、アルミやスチールなどの蓋Ｄ１で密封された液体商品Ｄが固定部材２０で同軸状態に固定されている。
ここで、液体商品Ｄとしては、ビタミン剤、風邪薬、健康飲料などのドリンク剤、ローションや乳液などの化粧品、育毛剤などの液体が瓶などの細径容器に充填されて密封されたものであれば適用がある。
缶入り又はボトル入りのビール、ジュース、茶、コーヒーなどの飲料商品Ｓよりも細径の容器に入ったドリンク剤などの液体商品Ｄを、飲料商品Ｓの自動販売機１００で販売するときは、この販売用容器１に入れる。本実施形態の販売用容器１には、３つの固定部材２０が内部に固設されており、販売用容器１に入れた液体商品Ｓは、固設された３つの固定部材２０により、販売用容器１の内部に３箇所で固定される。
円筒部材１０は、スチール、アルムニウム、プラスチック、厚紙などにより筒状に成形され、両端に底を設けていない。
円筒部材１０の直径は、自動販売機１００で販売されている缶やボトル入りのビール、ジュース、茶、コーヒーなどの飲料商品Ｓの容器寸法と同等になるように設定されている。
ここで、図１に示す本体１０１の飲料商品通路１１２の幅が、例えば８０ｍｍに設定されている場合には、この自動販売機１００で販売可能な飲料商品Ｓの容器寸法は、４０ｍｍΦよりも大きく、８０ｍｍΦよりも小さければ、デリバリシュート１１６に一度に複数個の飲料商品Ｓが落下しないように構成することができる。したがって、販売用容器１の円筒部材１０の直径も、この範囲内に設定すればよく、その自動販売機１００で実際に販売されている飲料商品Ｓの容器寸法と必ずしも同じにする必要はない。
固定部材２０は、例えばポリスチレン、ポリウレタンなどのプラスチックを成形した円柱状の部材で、その中央には貫通孔が設けられている。
販売用容器に固設した状態の固定部材２０の外径は、円筒部材１０の内径に合致し、貫通孔の直径は、販売用容器１の内部に固定される液体商品Ｄの部位に応じて設定されている。例えば、ポリウレタンなどの弾性部材を成形した固定部材２０を用いる場合には、その外径を販売容器１の内径よりも少し大き目に設定し、販売用容器１の内面に圧着させて固設する。一方、ポリスチレンなどを成形した固定部材２０を用いる場合には、その外径を販売容器１の内径と同等に設定し、販売用容器１の内面に固設する。
このように、本実施形態の販売用容器１は、３つの固定部材２０により、３箇所で液体商品Ｄを固定するので、販売用容器１が飲料商品通路１１２を通過したり、デリバリシュート１１６に落下したとき、つぶれたり、へこんだりすることはない。また、販売用容器１の外径は、飲料商品Ｓの容器寸法と同等になるように設定されているので、複数個の液体商品Ｄが一度にデリバリシュート１１６に落下することはない。
【０００７】
「第２の実施形態」
第２の実施施形態の販売用容器は、第１の実施形態の販売用容器に較べて有底、蓋つきであり、液体商品が１つの固定部材によって固定される点は相違するが、それ以外の点は共通する。したがって、重複する説明は省略し、相違点についてのみ説明する。
図５及び図６は、本発明の販売用容器の第２の実施形態を示す図であり、図５は、第２の実施形態の販売用容器の平面図、図６は、第２の実施形態の販売用容器を図５のＢ−Ｂ’面で切断したときの正面図である。
図５及び図６に示す本実施形態の販売用容器２は、１端が有底で、他端が開口した円筒部材１１と、円筒部材１１の開口を塞ぐ蓋部３０と、円筒部材１１の内周面に固定した状態で設けられる１つの固定部材２０と、からなる。
円筒部材１０は、スチール、アルムニウム、プラスチック、厚紙などにより筒状に成形され、蓋部３０は、プラスチックなどにより形成される。
ここで、本実施形態の販売用容器２には蓋部３０が設けられているが、蓋部３０は、必ずしも必要としない。ただし、蓋部３０を設けない場合には、販売用容器２が、転がったり、落下したとき、液体商品Ｄが固定部材２０から脱落したり、販売用容器２がつぶれたりしないように、固定部材２０を複数用いることが好ましい。また、ここでは、蓋部３０は、円筒部材１１の他端の開口縁に嵌合させて、開口を塞いでもよいし、他端の外周に螺合させて、開口を塞いでもよい。
このように、本実施形態の販売用容器２は、液体商品Ｄを１つの固定部材２０を用いて一箇所で固定しているが、円筒部材１１が有底で、開口は蓋部３０で塞がれるため、販売用容器１が飲料商品通路１１２を通過したり、デリバリシュート１１６に落下したとき、つぶれたり、へこんだりすることはない。また、販売用容器１の外径は、飲料商品Ｓの容器寸法と同等になるように設定されているので、複数個の液体商品Ｄが一度にデリバリシュート１１６に落下することはない。
【０００８】
「第３の実施形態」
第３の実施形態の販売用容器は、第２の実施形態の販売用容器に較べて蓋部に、景品を入れる景品収容部が設けられ、さらに内部に縁辺付の固定部材が固設されている点は相違するが、それ以外の点は共通する。したがって重複する説明は省略し、相違点についてのみ説明する。
図７から図１０は、本発明の販売用容器の第３の実施形態を示す図であり、図７は、第３の実施形態の販売用容器の平面図、図８は、第３の実施形態の販売用容器を図７のＣ−Ｃ’面で切断したときの正面図である。また、図９は、景品収容部を取り外したときの蓋部の平面図であり、図１０は、縁辺付の固定部材の平面図である。
図７及び図８に示す第３の実施形態の販売用容器３は、１端が有底で、他端が開口した円筒部材１１と、円筒部材１１の開口を塞ぐ蓋部３１と、円筒部材１１の内周面に固定した状態で設けられる１つの固定部材２１と、からなる。
また、蓋部３１には、フィギュアなどの景品を入れる景品収容部３２が設けてある。蓋部３１は、円筒部材１１の開口した端縁に自在に嵌合することにより、開口が塞がれる。
景品収容部３２は、一端が有底で、他端が開口した筒形をなし、開口した端３２ａが蓋部３１に着脱自在に係合する。
ここで、本実施形態の蓋部３１は、円筒部材１１の開口した端縁に嵌合するように構成されているが、必ずしもその構成に限定されず、開口した端縁に螺合するように構成することもできる。
図９に示すように、蓋部３１には、溝３１ａが設けてあり、その溝３１ａに、筒形をなした景品収容部３２の開口した端３２ａが嵌合するようになっている。
図１０に示すように、本実施形態の固定部材２１は、例えば紙又はプラスチックなどを型で打ち抜いて成形したもので、中央に孔２２の開いた円形の部材２１ａの外周と、中央の孔２２の周囲に、それぞれ複数の縁辺２１ｂ、２１ｃが曲折自在に延設されている。そして、円形の部材２１ａの外径は、円筒部材１１の内径よりもわずかに小さく、孔２２の径は、液体商品Ｄの容器直径よりもわずかに大きくなっている。そこで、円形の部材２１ａの外周に延設されている縁辺２１ｂと、孔２２の周囲に延設されている縁辺２１ｃとを同じ方向に折り曲げる。そして、孔２２には液体商品Ｄを挿入して孔２２の周囲に延設されている縁辺２１ｃで液体商品Ｄを固定する。一方、液体商品Ｄを挿入した固定部材２１は、円筒部材１１の内部に入れ、円形の部材２１ａの外周に延設されている縁辺２１ｂで円筒部材１１の内周面に固着する。
【０００９】
「第４の実施形態」
図１１から図１３は、本発明の販売用容器の第４の実施形態を示す図であり、図１１は、第４の実施形態の販売用容器の円筒部材を上部と下部とに分離したときの下部側の平面図、図１２は、第４の実施形態の販売用容器を図１１に示すＤ−Ｄ’面で切断したときの正面図、図１３は、第４の実施形態の販売用容器の固定部材の正面図及び底面図である。
図１１から図１３に示す本実施形態の販売用容器４は、円筒部材１２と、円筒部材１２の、両端の底面それぞれに固設される
固定部材２３ａ，２３ｂとからなる。
円筒部材１２は、一端が有底で、他端が開口した同径の２つの中空部材１２ａ，１２ｂからなり、２つの中空部材１２ａ，１２ｂの開口した端１３ｘ，１３ｙ相互を着脱自在に嵌合させ、両端が有底となるように構成されている。ここで、円筒部材１２としては、スチール、アルムニウム、プラスチック、厚紙などを用いることができる。
固定部材２３ａ,２３ｂは、液体商品Ｄの蓋Ｄ１及び底Ｄ２の直径よりも少し大きい凹部２４ａ，２４ｂが一方の端面の中央に設けられた円柱状の部材で、他方の端面を中空部材１２ａ，１２ｂの底面それぞれに固設される。ここで、円柱状の部材としては、弾性を有するポリウレタンなどが好ましい。
本実施形態の販売用容器４に液体商品Ｄを収容するときは、円筒部材１２を、同径の２つの中空部材１２ａ，１２ｂに分離し、一方の中空部材１２ｂの底面に固設された固定部材２２ｂの凹部２３ｂに液体商品Ｄの底Ｄ２をはめ込み、他方の中空部材１２ａを一方の中空部材１２ｂに嵌合させる。そのとき、他方の中空部材１２ａの底面に固設された固定部材２３ａの凹部２４ａに液体商品Ｄの蓋Ｄ１がはまり、蓋Ｄ１がはめ込まれた固定部材２３ａの凹部２４ａと、底Ｄ２がはめ込まれた固定部材２３ｂの凹部２４ｂとによって液体商品Ｄが圧着されるので、液体商品Ｄは、販売容器４に固定される。
ここで、本実施形態の円筒部材１２は、２つの円筒形部材１２ａ，１２ｂの開口した端１３ｘ、１３ｙ相互を着脱自在に嵌合させ、両端が有底となるように構成されているが、２つの円筒形部材１２ａ，１２ｂの開口した端１３ｘ、１３ｙ相互を着脱自在に螺合させ、両端が有底となるように構成してもよい。
【００１０】
「第５の実施形態」
第５の実施形態は、第４の実施形態に較べて固定部材の形態及び固設位置が相違するが、それ以外の点は共通する。したがって、重複する説明は省略し相違点についてのみ説明する。
図１４及び図１５は、本発明の販売用容器の第５の実施形態を示す図であり、図１４は、第５の実施形態の販売用容器の円筒部材を上部と下部とに分離したときの下部側の平面図、図１５は、第５の実施形態の販売用容器を図１４のＥ−Ｅ’で切断したときの正面図ある。
図１４及び図１５に示す本実施形態の販売用容器５は、円筒部材１２と、円筒部材１２の内周面に固定した状態で設けられる２つの固定部材２１と、からなる。
円筒部材１２は、一端が有底で、他端が開口した同径の２つの中空部材１２ａ，１２ｂからなり、２つの中空部材１２ａ，１２ｂの開口した端１３ｘ、１３ｙ相互を着脱自在に螺合させ、両端が有底となるように構成されている。
なお、固定部材２１は、第３の実施形態で説明したものと同じであり、重複する説明は省略する。
本実施形態の販売用容器５に液体商品Ｄを収容するときは、円筒部材１２を、２つの中空部材１２ａ，１２ｂに分離し、一方の中空部材１２ｂの内周面に、円形の部材２１ａの外周に延設されている縁辺２１ｂで、２つの固定部材２１を固着する。また、２つの固定部材２１それぞれの孔２２に液体商品Ｄを挿入し、孔２２の周囲に延設されている縁辺２１ｃで液体商品Ｄを固定する。そして、他方の中空部材１２ａを、液体商品Ｄを固定した中空部材１２ｂに螺合させる。
ここで、本実施形態の円筒部材１２は、２つの中空部材１２ａ，１２ｂの開口した端１３ｘ、１３ｙ相互を着脱自在に螺合させることにより、両端が有底となるよう構成されているが、２つの中空部材１２ａ，１２ｂの開口した端１３ｘ、１３ｙ相互を着脱自在に嵌合させることにより、両端が有底となるように構成してもよい。
【産業上の利用可能性】
【００１１】
細径の瓶に液体が充填されて密封された、ビタミン剤、風邪薬、健康飲料などのドリンク剤、ローションや乳液などの化粧品、育毛剤などの液体商品を飲料用自動販売機で販売する際に適用できる。
【図面の簡単な説明】
【００１２】
【図１】一例として示す自動販売機の側断面図である。
【図２】第１の実施形態の販売用容器の平面図である。
【図３】第１の実施形態の販売用容器を図２のＡ−Ａ’面で切断したときの正面図である。
【図４】第１の実施形態の販売用容器の底面図である。
【図５】第２の実施形態の販売用容器の平面図である。
【図６】第２の実施形態の販売用容器を図５のＢ−Ｂ’面で切断したときの正面図である。
【図７】第３の実施形態の販売用容器の平面図である。
【図８】第３の実施形態の販売用容器を図７のＣ−Ｃ’面で切断したときの正面図である。
【図９】景品収容部を取り外したときの蓋部の平面図である。
【図１０】縁辺付の固定部材の平面図である。
【図１１】第４の実施形態の販売用容器の円筒部材を上部と下部とに分離したときの下部側の平面図である。
【図１２】第４の実施形態の販売用容器を図１１に示すＤ−Ｄ’面で切断したときの正面図である。
【図１３】第４の実施形態の販売用容器の固定部材の正面図及び底面図である。
【図１４】第５の実施形態の販売用容器の円筒部材を上部と下部とに分離したときの下部側の平面図である。
【図１５】第５の実施形態の販売用容器を図１４のＥ−Ｅ’で切断したときの正面図ある。
【符号の説明】
【００１３】
１〜５      販売用容器
１０〜１２  円筒部材
１２ａ、１２ｂ  中空部材
１３ｘ、１３ｙ、３２ａ  開口した端
２０、２１、２３ａ、２３ｂ    固定部材
２１ａ    円形の部材
２１ｂ、２１ｃ  縁辺
２２    孔
２４ａ、２４ｂ  凹部
３０，３１  蓋部
３１ａ    溝
３２    景品収容部
Ｄ      液体商品
Ｄ１    蓋
Ｄ２    底
１００  自動販売機
１０１  本体
１０２  前扉
１１０  商品ラック
１１１  収納部
１１２  飲料商品通路
１１３  壁面
１１５  爪
１１６  デリバリシュート
【図１】
2009102032.tif 000003
【図２】
2009102032.tif 000004
【図３】
2009102032.tif 000005
【図４】
2009102032.tif 000006
【図５】
2009102032.tif 000007
【図６】
2009102032.tif 000008
【図７】
2009102032.tif 000009
【図８】
2009102032.tif 000010
【図９】
2009102032.tif 000011
【図１０】
2009102032.tif 000012
【図１１】
2009102032.tif 000013
【図１２】
2009102032.tif 000014
【図１３】
2009102032.tif 000015
【図１４】
2009102032.tif 000016
【図１５】
2009102032.tif 000017